(57)【要約】【課題】装置を大型化させずに、装置製造時の作業工程を表す情報やトレーサビリティ情報を管理することができる撮像装置を提供する。【解決手段】レンズ１０によって集光された光を電気信号に変換する撮像素子１１と、撮像素子１１から得られた電気信号を映像信号として処理する信号処理部１２と、少なくとも信号処理部１２の設定情報を格納する不揮発性の記録媒体１３と、信号処理部１２によって処理された映像信号を出力するための映像出力端子１５ｂ、記録媒体１３に記録させる情報を書き込むための第１端子１５ｃ、および、記録媒体１３に記録された情報を読み出すための第２端子１５ｄを有するコネクタ１５と、を備えた撮像装置１において、第１端子１５ｃは、工程履歴を表す工程履歴情報を入力し、信号処理部１２は、工程履歴を表す工程履歴情報を記録媒体１３に格納する。【選択図】図１
2011227653.tif 000002
【特許請求の範囲】
【請求項１】
集光するレンズと、
集光された光を電気信号に変換する撮像素子と、
前記撮像素子から得られた電気信号を映像信号として処理する信号処理部と、
少なくとも前記信号処理部の設定情報を格納する不揮発性の記録媒体と、
前記信号処理部によって処理された映像信号を出力するための映像出力端子、前記記録媒体に記録させる情報を書き込むための第１端子、および、前記記録媒体に記録された情報を読み出すための第２端子を有するコネクタと、を備えた撮像装置において、
前記第１端子は、工程履歴を表す工程履歴情報を入力し、
前記信号処理部は、前記第１端子を介して入力された工程履歴を表す工程履歴情報を前記記録媒体に格納することを特徴とする撮像装置。
【請求項２】
前記第１端子は、前記記録媒体に格納された工程履歴情報の要求を表す要求信号を入力し、
前記信号処理部は、前記記録媒体に格納された工程履歴情報を前記要求信号に応じて前記第２端子を介して出力することを特徴とする請求項１に記載の撮像装置。
【請求項３】
前記記録媒体には、正常な工程履歴を表す参照履歴情報がさらに格納され、
前記第１端子は、原工程を表す原工程情報を入力し、
前記信号処理部は、前記第１端子を介して入力された原工程情報と前記参照履歴情報とに基づいて、前記原工程より前の工程が正常に完了しているか否かを表す診断情報を生成し、
前記第２端子は、前記診断情報を出力することを特徴とする請求項１に記載の撮像装置。
【発明の詳細な説明】
【技術分野】
【０００１】
本発明は、撮像装置に関し、特に、車両に搭載され、車両周辺を撮像する撮像装置に関する。
【背景技術】
【０００２】
従来、装置製造時の作業工程を表す情報やトレーサビリティ情報を管理するものとして、１以上の作業工程およびその工程順と、各作業工程が作業済みか否かを示す作業状態フラグとを示した工程情報をＩＣタグの記憶部に記憶し、各工程に設置される端末装置が、リーダライタで読み取ったＩＣタグの作業工程と、その工程順と、各作業工程が作業済みか否かを示す作業状態フラグとを参照して、自身の作業工程よりも前の作業工程において、作業済みでない作業工程があると判断したとき、作業済みでない作業工程を表示装置へ出力するものが知られている（例えば、特許文献１参照）。
【０００３】
一方、近年、車両の駐車時等に車両の後方、側方および前方の安全確認のために車両の周辺を撮像する撮像装置が知られている。この種の撮像装置は、後方のナンバープレート周辺、ドアミラー内およびフロントグリル内等の車両のデザインを損なわないように車両に搭載されている。このため、この種の撮像装置は、小型化が要求されている。
【先行技術文献】
【特許文献】
【０００４】
【特許文献１】特開２００７−２１２１３２号公報
【発明の概要】
【発明が解決しようとする課題】
【０００５】
しかしながら、特許文献１に開示された従来の技術を車両の周辺を撮像する撮像装置に適用すると、ＩＣタグを撮像装置に設ける必要があり、装置が大型化してしまうといった課題があった。
【０００６】
本発明は、従来の課題を解決するためになされたもので、装置を大型化させずに、装置製造時の作業工程を表す情報やトレーサビリティ情報を管理することができる撮像装置を提供することを目的とする。
【課題を解決するための手段】
【０００７】
本発明の撮像装置は、集光するレンズと、集光された光を電気信号に変換する撮像素子と、前記撮像素子から得られた電気信号を映像信号として処理する信号処理部と、少なくとも前記信号処理部の設定情報を格納する不揮発性の記録媒体と、前記信号処理部によって処理された映像信号を出力するための映像出力端子、前記記録媒体に記録された情報を書き込むための第１端子、および、前記記録媒体に記録された情報を読み出すための第２端子を有するコネクタと、を備えた撮像装置において、前記第１端子は、工程履歴を表す工程履歴情報を入力し、前記信号処理部は、前記第１端子を介して入力された工程履歴を表す工程履歴情報を前記記録媒体に格納する構成を有している。
【０００８】
この構成により、本発明の撮像装置は、少なくとも信号処理部の設定情報を格納する不揮発性の記録媒体に工程履歴を表す工程履歴情報、すなわち、装置製造時の作業工程を表す情報やトレーサビリティ情報を格納することにより、工程履歴情報を管理するためのデバイスを別途に必要としないため、装置を大型化させずに、装置製造時の作業工程を表す情報やトレーサビリティ情報を管理することができる。
【０００９】
なお、前記第１端子は、前記記録媒体に格納された工程履歴情報の要求を表す要求信号を入力し、前記信号処理部は、前記記録媒体に格納された工程履歴情報を前記要求信号に応じて前記第２端子を介して出力するようにしてもよい。
【００１０】
この構成により、本発明の撮像装置は、装置製造時、装置出荷前および装置出荷後の問題発生時に、装置製造時の作業工程を表す情報やトレーサビリティ情報を確認させることができる。
【００１１】
また、前記記録媒体には、正常な工程履歴を表す参照履歴情報がさらに格納され、前記第１端子は、原工程を表す原工程情報を入力し、前記信号処理部は、前記第１端子を介して入力された原工程情報と前記参照履歴情報とに基づいて、前記原工程より前の工程が正常に完了しているか否かを表す診断情報を生成し、前記第２端子は、前記診断情報を出力するようにしてもよい。
【００１２】
この構成により、本発明の撮像装置は、装置製造時の各工程において、原工程より前の工程が正常に実行されていたか否かを確認させることができる。
【発明の効果】
【００１３】
本発明は、装置を大型化させずに、装置製造時の作業工程を表す情報やトレーサビリティ情報を管理することができるといった効果を有する撮像装置を提供することができる。
【図面の簡単な説明】
【００１４】
【図１】本発明の一実施の形態に係る撮像装置のブロック図である。
【図２】本発明の一実施の形態に係る撮像装置の動作を説明するための概念図である。
【発明を実施するための形態】
【００１５】
以下、本発明の実施の形態について、図面を参照して説明する。
【００１６】
図１に示すように、本発明の一実施の形態としての撮像装置１は、集光するレンズ１０と、集光された光を電気信号に変換する撮像素子１１と、撮像素子１１から得られた電気信号を映像信号として処理する信号処理部１２と、少なくとも信号処理部１２の設定情報を格納する不揮発性の記録媒体１３と、各部に電源を供給するための電源供給部１４と、信号処理部１２によって処理された映像の出力、電力の入力、記録媒体１３に記録させる情報の書き込みおよび記録媒体１３に記録された情報の読み出しをそれぞれ行うための端子を有するコネクタ１５とを備えている。
【００１７】
撮像素子１１は、例えば、ＣＣＤイメージセンサ (Charge Coupled Device Image Sensor) によって構成され、レンズ１０によって集光された光を電気信号に変換するようになっている。
【００１８】
信号処理部１２は、例えば、撮像素子１１から得られた電気信号を映像信号として、映像を矩形の映像に変換する座標変換処理、映像からノイズを除去するノイズ除去処理および映像の輝度を補正する輝度補正処理等の映像信号処理を実行するようにプログラミングされたＤＳＰ（Digital Signal Processor）によって構成され、映像信号処理が施された映像信号をコネクタ１５を介して出力するようになっている。
【００１９】
記録媒体１３は、例えば、ＥＥＰＲＯＭ（Electrically Erasable Programmable Read Only Memory）によって構成され、信号処理部１２が映像信号処理を実行するときに参照する設定情報が格納されている。
【００２０】
電源供給部１４は、コネクタ１５を介して入力された電力を用いて、撮像素子１１、信号処理部１２および記録媒体１３を機能させるための電力を供給するようになっている。
【００２１】
コネクタ１５は、外部から電力を入力するための電源端子１５ａと、信号処理部１２によって処理された映像信号を出力するための映像出力端子１５ｂと、記録媒体１３に記録させる情報を書き込むための第１端子１５ｃと、記録媒体１３に記録された情報を読み出すための第２端子１５ｄを有している。
【００２２】
本実施の形態において、第１端子１５ｃは、工程履歴を表す工程履歴情報を入力し、信号処理部１２は、第１端子１５ｃを介して入力された工程履歴を表す工程履歴情報を記録媒体１３に格納するようになっている。
【００２３】
ここで、工程履歴情報には、装置製造時の作業工程を表す情報やトレーサビリティ情報が含まれている。より具体的には、工程履歴情報には、既に完了した各工程を表す情報と、各工程に使用した部品のロット番号、各工程の責任者や担当者を表す識別番号、各工程に使用した治具や試験機を表す識別番号、各工程の開始日時や終了日時を表す情報および撮像装置１のシリアル番号等が含まれる。
【００２４】
工程履歴情報は、撮像装置１のコネクタ１５にケーブルを介して接続される工程管理装置２によって生成される。この工程管理装置２としては、各工程においてそれぞれ異なるものを用いる場合もあるが、一般的には、汎用的なコンピュータ装置によって構成される。
【００２５】
また、第１端子１５ｃは、記録媒体１３に格納された工程履歴情報の要求を表す要求信号を入力し、信号処理部１２は、記録媒体１３に格納された工程履歴情報を要求信号に応じて第２端子１５ｄを介して出力するようになっている。
【００２６】
したがって、装置出荷時や装置出荷後の問題発生時に、撮像装置１を工程管理装置２に接続することにより、装置製造時の作業工程を表す情報やトレーサビリティ情報を工程管理装置２で確認させることができる。
【００２７】
なお、記録媒体１３には、正常な工程履歴を表す参照履歴情報がさらに格納され、第１端子１５ｃは、原工程を表す原工程情報を入力し、信号処理部１２は、第１端子１５ｃを介して入力された原工程情報と参照履歴情報とに基づいて、原工程より前の工程が正常に完了しているか否かを表す診断情報を生成し、第２端子１５ｄは、診断情報を出力するようにしてもよい。
【００２８】
この場合には、撮像装置１を工程管理装置２に接続したときに、原工程より前の工程が正常に実行されていたか否かを工程管理装置２で確認させることができる。
【００２９】
このように構成された撮像装置１について、図２を用いてその動作例を説明する。図２は、撮像装置１を製造する工程がＳＭＤ（Surface Mount Device）実装工程Ｐ１、本体組立工程Ｐ２、光軸調整工程Ｐ３および検査工程Ｐ４の４つの作業工程に分かれていた場合の例を示している。
【００３０】
ＳＭＤ実装工程Ｐ１は、プリント基板に部品を実装する工程である。また、本体組立工程Ｐ２は、ＳＭＤ実装工程Ｐ１で部品が実装された基板Ａｓｓｙ（assembly）を本体に組み込む工程である。
【００３１】
光軸調整工程Ｐ３は、本体組立工程Ｐ２で組み上げられた撮像装置１の光軸を調整する工程である。検査工程Ｐ４は、光軸調整工程Ｐ３で光軸が調整された撮像装置１を出荷前に検査する工程である。
【００３２】
撮像装置１または撮像装置１を構成する基板Ａｓｓｙは、ＳＭＤ実装工程Ｐ１および本体組立工程Ｐ２において、各工程が完了する度に、工程管理装置２に接続され、各工程に関する工程履歴情報が記録媒体１３に書き込まれる。
【００３３】
また、撮像装置１は、光軸調整工程Ｐ３および検査工程Ｐ４において、各工程を実行するための試験機によって構成された工程管理装置２に接続され、各工程が完了する度に、各工程に関する工程履歴情報が記録媒体１３に書き込まれる。
【００３４】
また、本体組立工程Ｐ２、光軸調整工程Ｐ３および検査工程Ｐ４が実行される前、および、検査工程Ｐ４が実行された後の出荷前の各工程確認ステップＳ１乃至Ｓ４で、工程管理装置２によって各工程に関する工程履歴情報が記録媒体１３から読み出され、各工程が完了しているか否かが確認される。
【００３５】
例えば、撮像装置１が本体組立工程Ｐ２から検査工程Ｐ４に入った場合には、工程管理装置２によって光軸調整工程Ｐ３に関する工程履歴情報が記録媒体１３から読み出されないため、光軸調整工程Ｐ３が実行されていないことが工程確認ステップＳ３で確認される。
【００３６】
以上説明したように、本発明の一実施の形態としての撮像装置１は、少なくとも信号処理部１２の設定情報を格納する不揮発性の記録媒体１３に工程履歴を表す工程履歴情報、すなわち、装置製造時の作業工程を表す情報やトレーサビリティ情報を格納することにより、工程履歴情報を管理するためのデバイスを別途に必要としないため、装置を大型化させずに、装置製造時の作業工程を表す情報やトレーサビリティ情報を管理することができる。
【００３７】
なお、本実施の形態において、信号処理部１２の設定情報、工程履歴情報、要求信号および原工程情報が第１端子１５ｃを介して入力されるものとして説明したが、本発明においては、信号処理部１２の設定情報、工程履歴情報、要求信号および原工程情報がそれぞれ異なる端子から入力されるものとしてもよい。
【００３８】
また、本実施の形態において、信号処理部１２の設定情報、工程履歴情報および診断情報が第２端子１５ｄを介して出力されるものとして説明したが、本発明においては、信号処理部１２の設定情報、工程履歴情報および診断情報がそれぞれ異なる端子から出力されるものとしてもよい。
【産業上の利用可能性】
【００３９】
以上のように、本発明にかかる撮像装置は、装置を大型化させずに、装置製造時の作業工程を表す情報やトレーサビリティ情報を管理することができるという効果を有し、例えば、車両に搭載され、車両周辺を撮像する撮像装置等として有用である。
【符号の説明】
【００４０】
１  撮像装置
２  工程管理装置
１０  レンズ
１１  撮像素子
１２  信号処理部
１３  記録媒体
１４  電源供給部
１５  コネクタ
１５ａ  電源端子
１５ｂ  映像出力端子
１５ｃ  第１端子
１５ｄ  第２端子
【図１】
2011227653.tif 000003
【図２】
2011227653.tif 000004